(57)【特許請求の範囲】
【請求項１】
記録再生ディスクを回転自在に収納したカートリッジを保持するホルダと、
前記カートリッジのシャッタ開閉手段と、
カートリッジに収納されていない裸ディスクを前記ホルダに保持する保持手段と、
前記ホルダを覆い、前記カートリッジまたは前記裸ディスクのローディング方向に対称に２分割された一対のホルダカバーと、
前記ホルダ及び前記ホルダカバーを移動可能に収納し、前記カートリッジまたは前記裸ディスクを挿入する開口部を一方に形成するベースと天板とを備え、
前記一対のホルダカバーそれぞれには凸部を有し、前記一対の凸部にそれぞれ係合し、前記ローディング方向に直交する方向に突起部を具備する挿入規制手段を前記天板の前記開口部側に備えることを特徴とするディスクローディング装置。
【発明の詳細な説明】
【０００１】
【発明の属する技術分野】
本発明は、光でディスクに情報を記録および再生する装置のディスクローディング装置に関するものである。
【０００２】
【従来の技術】
近年、オーディオディスクやビデオディスク、また、コンピュータのデータ記憶装置として、光ディスク装置が広く用いられている。
光ディスクには、主にデータ記憶用に用いられるカートリッジに収納された記録再生可能なものと、音楽用ＣＤやＣＤ−ＲＯＭの様に裸で使用（以下このような裸で使用されるディスクを裸ディスクと称する）される再生専用のディスクとがある。マルチメディア技術の進歩により、ＡＶ機器のデジタル化とコンピュータのＡＶ機能の充実が同時進行し、光ディスクにおいても、ＡＶ機器とコンピュータの区別なく広く用いられるデジタルディスクとしての機能が要望されている。
【０００３】
さらに、ＡＶ機器のみならず、パーソナルコンピュータの小型化が進むにつれて、光ディスク装置の薄型化が望まれている。
このような背景のもと、光ディスク装置に対しては、薄型で、多様な形態の媒体に対応した装置が強く求められるようになってきた。
しかしながら、従来、カートリッジに収納されたディスクと裸ディスクとではローディングの方式が異なるため、各々専用の装置が必要であったが、カートリッジと裸ディスクとを一つのローディング方式で使用可能とする新しいディスクローディング装置（特願平８−２６５８７７号）が提案されている。
【０００４】
以下、この特願平８−２６５８７７号に記載されている、カートリッジと裸ディスクとを一つのローディング方式で使用可能とするディスクローディング機構について図面を参照しながら説明する。
一般に、この様な光ディスク装置では、カートリッジを装置内に挿入した後、カートリッジをスピンドルモータ及び光ピックアップの方向に移動して、ディスクをターンテーブルに装着し、記録または再生可能な状態にする必要がある。
【０００５】
図３３は、従来のカートリッジ及び裸ディスクのローディング操作を示す外観図、図３４はそのローディング機構を示す斜視図、図３５は、ディスクローディング装置の内部構成を示す平面図である。
図３３において、（ａ）、（ｂ）は、カートリッジ３００を垂直及び水平方向にロードする状態を示すものであり、（ｃ）、（ｄ）は、裸ディスク３０１を同じく垂直及び水平方向にロードする状態を示すものである。カートリッジ３００及び裸ディスク３０１に関わらずホルダ１００のメディア挿入部に所望するカートリッジ３００あるいは裸ディスク３０１を挿入するだけでローディング動作を行うことができるものであるが、カートリッジ３００及び裸ディスク３０１をホルダ１００の挿入口に挿入する際に同図（ｄ）に示すようにホルダ１００と天板２５の空間に裸ディスク３０１を誤って挿入してしまう可能性があり、挿入してしまうとディスクに傷を付けてしまうことになる。
【０００６】
次に、図３４によりその構成について説明する。
図３４において、ディスクローディング装置は、ベース部Ｕ１とホルダ部Ｕ２とクランプ部Ｕ３とで構成される。図中の、方向を示す座標系は、装置の奥行き方向をＸ、幅方向をＹ、高さ方向をＺとしている。
ベース部Ｕ１には、ベース８に、光ヘッド７やターンテーブル一体化ディスクモータ２を取り付けたシャーシ３と、これを昇降する昇降機構が組み込まれている。ベース８内の側面のガイド部８ｆにホルダ１００を乗せ、上から天板２５を取り付ける。
【０００７】
天板２５は、クランパ２６を備えたクランプレバー２７が取り付けられ、クランプ部Ｕ３を構成する。
ホルダ部Ｕ２のホルダ１００には、ローディングモータ１１１と歯車列１１２が組み込まれており、歯車列１１２の最終段の歯車１１２ａが、ベース８に取り付けたスライドラック１３に設けたラック１３ａとかみ合って、ホルダ１００がＸ１−Ｘ２方向に駆動される。ローディングモータ１１１の駆動電流は、フレキ１１３を通じてベース側より供給される。
【０００８】
さらに、ホルダ１００には、裸ディスクを案内保持する左右一対のディスク保持機構と、カートリッジのシャッタを開閉するシャッタオープナ１０３、および、カートリッジのロック機構、ホルダのロック機構、カートリッジ付勢ばねが組み込まれている。
また、フレキ１１３には、スイッチ１１４およびスイッチ１１５が設けられ、それぞれ、シャッターオープナ１０３、連結板１０８によってＯＮ／ＯＦＦされる。
【０００９】
図３５は、ベース部Ｕ１にホルダ部Ｕ２組み込んだ状態の平面図である。
ホルダ１００は、組み込んだローディングモータ１１１により、保持されたディスクが約半分露出するように、図３５に示す距離ＳだけＸ１方向に引き出され、メディア交換の待機状態となるように構成されている。
【００１０】
【発明が解決しようとする課題】
しかしながら、上記のような従来のディスクローディング装置は、形状の異なるカートリッジと裸ディスクを一つのローディング方式で両方を扱うように構成されているため、ディスクローディング装置としては次のような課題がある。
従来のディスクローディング装置では、シャッターオープナがカートリッジのシャッター開閉手段と裸ディスクの保持手段を兼ねているためローディング終了後のシャッターオープナと光学ヘッドとの隙間を確保するためにはローディング部を構成する部品の精度に依存するため、シャッターオープナの部品精度を必要以上に管理する必要があり、更に、光学ヘッドの高さ精度も管理しなければならないという課題があった。
【００１１】
また、従来のディスクローディング装置では、上述したように裸ディスクをローディング装置内に挿入する時、裸ディスクを誤ってホルダ部Ｕ２の上に載置する誤挿入が発生しやすく、挿入時の裸ディスクの傷つき、あるいはカートリッジ挿入時の誤挿入による装置の破損という課題があった。
【００１２】
本発明は、上記の課題を解決するもので、装置内に大きな余剰空間を作る事なく、装置全体の薄型化を可能にし、またカートリッジと裸ディスクのローディングを可能にすると共に、水平設置でも垂直設置でも使用可能で装置の破損を抑制できるディスクローディング装置を提供することを目的とする。
【００１３】
【課題を解決するための手段】
上記課題を解決するために、本発明のディスクローディング装置では、記録再生ディスクを回転自在に収納したカートリッジを保持するホルダと、カートリッジのシャッタ開閉手段と、カートリッジに収納されていない裸ディスクを前記ホルダに保持する保持手段と、このホルダを覆い、カートリッジまたは裸ディスクのローディング方向に対称に２分割された一対のホルダカバーと、ホルダ及びホルダカバーを移動可能に収納し、カートリッジまたは裸ディスクを挿入する開口部を一方に形成するベースと天板とを備え、この一対のホルダカバーそれぞれには凸部を有し、当該一対の凸部にそれぞれ係合し、ローディング方向に直交する方向に突起部を具備する挿入規制手段を天板の開口部側に備えるものである。
【００１４】
このように、挿入規制手段を設けたことで、裸ディスクのディスクローディング装置内への誤挿入を防止するという作用により、ディスクへの傷つきを防止すると共に、裸ディスクの誤挿入による当該裸ディスクの傷付やホルダカバーの変形等装置の損傷を抑制することができるという効果を有する。
【００１５】
【発明の実施の形態】
（実施の形態１）
以下、本発明の実施の形態について図面を用いて説明する。
本実施の形態のディスクローディング装置は水平および垂直設置での使用が可能であるが、説明の都合上、ディスクローディング装置を水平設置した状態で以後の説明を行う。
【００１６】
また、本実施例では、直径１２ｃｍの音楽用ＣＤやＣＤ−ＲＯＭのような裸ディスク（以下、大型ディスクという）、カートリッジに収納された大型ディスク（以下カートリッジという）を対象とする。また、これら２種類の形態の記録メディアを総称して、単にメディアと呼ぶ。ローディング機構で考慮するのはメディアの形態であって、その記録再生方式や記録密度などは、上記の例に限るものではない。
【００１７】
まず、ディスクローディング装置の全体の構成を説明し、続いて各部分の構成を詳しく説明する。
（ディスクローディング装置の全体構成）
図１は、本発明の実施例のディスクローディング装置の構成を示す分解斜視図、図２は、その内部構成を示す平面図、図３はカートリッジと裸ディスクの斜視図である。
【００１８】
図１において、本発明の実施例のディスクローディング装置は、従来例と同じくベース部Ｕ１とホルダ部Ｕ２とクランプ部Ｕ３とで構成される。（尚、従来例と同じ構成については、同じ番号を付与してある。）
図中の、方向を示す座標系は、装置の奥行き方向をＸ、幅方向をＹ、高さ方向をＺとしている。
【００１９】
ベース部Ｕ１には、ベース８に、光ヘッド７やターンテーブル一体化ディスクモータ２を取り付けたシャーシ３と、これを昇降する昇降機構が組み込まれている。ベース８内の側面のガイド部８ｆにホルダ１００を乗せ、上から天板２５を取り付ける。
【００２０】
天板２５は、クランパ２６を備えたクランプレバー２７と、後述するホルダカバーの凸部１０２Ｌ、１０２Ｒと係合し裸ディスクがホルダと天板２５との隙間に挿入されることを規制する挿入規制手段３８が取り付けられ、クランプ部Ｕ３を構成する。挿入規制手段３８は、ホルダカバー１０２の凸部１０２Ｌ、１０２Ｒとそれぞれ係合する突起部３８Ｌ、３８Ｒが設けられており、天板２５と突起部３８Ｌ、３８Ｒの間に凸部１０２Ｌ、１０２Ｒが係合するように構成されている。３８ａ、３８ｂは、爪であり天板２５に設けられた開口に挿入され挿入規制手段３８を天板２５に固定するものである。
【００２１】
ホルダ部Ｕ２のホルダ１００には、ローディングモータ１１１と歯車列１１２が組み込まれており、歯車列１１２の最終段の歯車１１２ａが、ベース８に取り付けたスライドラック１３に設けたラック１３ａとかみ合って、ホルダ１００がＸ１−Ｘ２方向に駆動される。ローディングモータ１１１の駆動電流は、フレキ１１３を通じてベース側より供給される。
【００２２】
さらに、ホルダ１００には、裸ディスクを案内保持する左右一対のディスク保持機構と、カートリッジのシャッタを開閉するシャッタオープナ１０３、および、カートリッジのロック機構、ホルダのロック機構、カートリッジ付勢ばねが組み込まれている。
【００２３】
また、フレキ１１３には、スイッチ１１４およびスイッチ１１５が設けられ、それぞれ、シャッターオープナ１０３、連結板１０８によってＯＮ／ＯＦＦされる。
【００２４】
図２は、ベース部Ｕ１にホルダ部Ｕ２組み込んだ状態の平面図である。
ホルダ１００は、組み込んだローディングモータ１１１により、保持されたディスクが約半分露出するような、図２に示す距離ＳだけＸ１方向に引き出され、メディア交換の待機状態となるように構成されている。この時、ホルダ１００の凸部１０２Ｌ、１０２Ｒは、挿入規制手段３８の突起部３８Ｌ、３８Ｒと天板２５の間に挿入されて係合状態となっている。カートリッジ及び裸ディスクが挿入され、ホルダ１００がローディングモータ１１１によりＸ２方向の移動されるとその係合は解除される。
【００２５】
（使用するメディア）
図３において、（ａ）は、シャッタ３００ａが閉じた状態のカートリッジ３００の斜視図である。３００ｃは保持用の切欠きで、３００ｆは位置決め穴である。カートリッジ３００をホルダ１００に挿入する途中で、シャッタ３００ａの先端の凹部３００ｂに、ホルダ１００のシャッタオープナ１０３の先端が係合し、そのまま奥まで挿入すると、シャッタ３００ａが開いて同図（ｂ）の状態になり、中に収納されたディスク３００ｅが露出する。この時、カートリッジ３００の厚さよりも薄い連結部３００ｄも同時に露出する。また、シャッタ３００ａは、片開きまたは両開きの何れであっても良いものとする。同図（ｃ）は、大型ディスクを示すものである。
【００２６】
以下、ディスクローディング装置の各々の構成を詳しく説明する。
【００２７】
（ホルダ部の構成）
まず、ホルダ１００の構成を説明する。
【００２８】
図４は、ホルダ１００の内部構成を示す分解斜視図、図５は、組み立てた状態の透視斜視図である。
【００２９】
図４において、ホルダケース１０１の上にホルダカバー１０２を取り付け、箱状のホルダ１００を構成し、Ｘ１側の開口部がメディア挿入口となって、Ｘ２方向にメディアが挿入される。その内部空間の高さは、カートリッジ３００の厚さに適当な隙間を加えた高さであり、幅は、カートリッジの幅に、裸ディスクの保持機構が退避する余裕を加えた幅となっている。ホルダケース１０１の底面は、下から光ヘッドが挿入される開口を有し、一番奥の中央部は、上下から切欠かれて、厚さの薄い連結部１０１ａとなっている。ホルダカバー１０２は左右に２分割され、前記連結部１０１ａと同じ幅で、ホルダ中央部に空間を設けている。また、ホルダカバー１０２にはカートリッジの逆挿入防止リブ１０２ａと、挿入規制手段３８と係合し裸ディスクのメディア挿入口以外からの挿入を規制する凸部１０２Ｌ、１０２Ｒが設けられている。
【００３０】
ホルダケース１０１とホルダカバー１０２の挿入口部の形状は、左右の両端がＸ１方向に突出し、中央に凹部を持つ。左右の突出部のみ、ホルダケース１０１の底面がホルダカバー１０２よりも内側へ広げて受け部１０１ｈを設け、カートリッジ３００を挿入する際、一旦この受け部１０１ｈにカートリッジ３００の先端を乗せることにより、挿入を容易にする。１０２Ｌ、１０２Ｒは、ホルダカバーに設けられた凸部であり、天板２５に取り付けられた挿入規制手段３８と係合してホルダカバーと天板２５との間への裸ディスクの誤挿入を規制するものである。
【００３１】
ホルダ１００の奥の端には、ローディングモータ１１１と駆動歯車列１１２を取り付ける部分と、シャッタオープナ１０３を取り付ける部分と、連結板１０８、ホルダロック１０９を取り付ける部分、底面の下側に２つの突起１００ａ、１００ｂがあり、それ以外は左右対称形である。
【００３２】
駆動歯車列の最終段の歯車１１２ａは、ホルダケース１０１の底面の穴１０１ｃからホルダ下側に突出しており、ケース８に組み込まれた駆動機構と連動する。歯車１１２ａと、２つの突起１００ａ，１００ｂの動作については、後述する。
【００３３】
シャッターオープナ１０３は、ホルダケース１０１とホルダカバー１０２の同位置の穴とボスで形成される軸１００ｅ回りに回動可能に組み込まれ、穴１００ｅと同心の円弧溝１００ｆに突起１０３ａが係合して、回動角度が規制されている。前記円弧溝１００ｆの外周部の奥側には、前記シャッターオープナ１０３を光学ヘッド部から離間させる方向に移動させるカム１００ｋが設けられている。ばね１６０によって円弧溝１００ｆのメディア挿入口側の端に付勢されると、先端部１０３ｂが、挿入されたカートリッジシャッタ３００ａの凹部３００ｂに当接する位置になるように構成されている。シャッタオープナ１０３の先端部１０３ｂは、高さがカートリッジ３００の厚さとほぼ同等の円筒形で、メディアが挿入される側が、上下端を残して切欠かれている。これにより、挿入された裸ディスクの端面が先端部１０３ｂに当接した後、上下に滑ってはずれるのを防止すると共に、裸ディスクを先端部のセンターに保持する。又、先端部１０３ｂの下側の高さは、ホルダケース１０１の受け部１０１ｈの面と同一面か若しくは、低くめに設定されており、裸ディスクがホルダケース１０１とシャッターオープナ１０３の間に誤って挿入されるのを防止するように構成されている。
【００３４】
シャッターオープナ１０３の反対側の突起１０３ｄは、ホルダケース１０１の側面の穴１０１ｄから横へ突出しており、シャッターオープナ１０３が奥へ回動すると、ホルダ内に収納される形状となっている。又、ホルダ１００が装置から引き出されてメディア交換位置にある時は、この突起１０３ｄに対応する位置にベース８の側壁に逃げ穴８ｅが設けてあり、シャッターオープナ１０３は、バネ１６０の付勢力により手前側に回動可能状態となる。一方、カートリッジあるいは裸ディスクが挿入されてホルダ１００が引き込まれるとシャッターオープナ１０３の突起１０３ｄがベース８の側壁により回動され速やかにシャッターオープナ１０３がホルダ奥の端まで回動する構成となっている。この時、シャッターオープナ１０３と裸ディスクとの係合が外れ裸ディスクは回転可能状態となる。又、シャッターオープナ１０３は、カム１００ｋにより回転と同時に上側に持ち上げられるのでシャッターオープナ１０３の先端部１０３ｂも上側に持ち上げられ光学ヘッド部との隙間が拡大される。
【００３５】
シャッタオープナ１０３の腕部１０３ｃは、上下より切欠かれ、厚さがホルダケース１０１の奥端の連結部１０１ａとほぼ同じになっている。
【００３６】
シャッタオープナ１０３の突起１０３ｅは、シャッタオープナ１０３の一定角度位置でフレキ１１３に設けたスイッチ１１４をＯＮ状態にする。
【００３７】
シャッタオープナ１０３に設けたオープナ板バネ１０３ｆは、シャッタオープナ１０３の回動動作の終端でホルダケース１０１の奥端の壁に当接し、シャッタオープナ１０３に付勢力を与える。
【００３８】
次に、ホルダロック機構について説明する。
【００３９】
ホルダロック機構は、入口レバー１０７、連結板１０８、ホルダロック１０９で構成される。
【００４０】
ホルダロック１０９は、両端にフック１０９ａと立ち上げ部１０９ｂをもち、軸１０９ｄ回りに回動可能に、連結板１０８の下面に取り付けられる。連結板１０８は、ホルダケース１０１の底面に設けた掘込み１０１ｆの中で、軸１００ｅ周りに回動可能に取り付けられる。ホルダロック１０９は、ばね１６０により立ち上げ部１０９ｂがホルダ内側へ向かう方向に付勢される。
【００４１】
連結板１０８の先端の長穴１０８ａは、入口レバー１０７の先端の突起１０７ｂと係合し連動する。入口レバー１０７は、軸１００ｉ回りに円弧溝１００ｇの範囲で回動可能に取り付け、ばね１０５によりディスクホルダ１０４とともにホルダ内側へ付勢される。カートリッジ３００が挿入されるとすぐに入口レバー１０７がホルダの外側方向へ押し広げられ、連結板１０８も外側へ回動して、ホルダロック１０９のフック１０９ａがホルダケース１０１の側面の穴１０１ｇからホルダの外へ突出する構成になっている。この状態で、ホルダロック１０９の立ち上げ部１０９ｂは、カートリッジ３００の進路内に入り込んでおり、カートリッジ３００が奥まで到達すると外側へ押し広げられ、フック１０９ａは逆に内側へ回動してホルダ内に収納される。すなわち、カートリッジ３００の挿入途中のみフック１０９ａがホルダの外へ突出する構成となっている。
また、連結板１０８の突起１０８ｂは、通常、フレキ１１３に設けたスイッチ１１５をＯＮ状態にしており、入口レバー１０７の回動により連結板１０８が回動すると、直ちにスイッチ１１５をＯＦＦにする。
【００４２】
次に、カートリッジロック機構について説明する。
【００４３】
ディスクホルダ１０４の後端部は、突起部１０４ｅ、１０４ｆと腕部１０４ｇからなる弾性構造となっており、カートリッジ３００が挿入されると、内側の突起１０４ｆがカートリッジ３００の側面により押し広げられて、外側の突起部１０４ｅが一旦ホルダの側面へ突出する。カートリッジ３００の切欠き３００ｃが突起１０４ｆの位置まで到達すると、突起１０４ｆが切欠き３００ｃに入り込み、腕部１０４ｇの弾性により突起部１０４ｅ、１０４ｆは元の位置にもどる。
【００４４】
最後に、裸ディスクを案内保持するディスク保持機構について説明する。
【００４５】
ディスク保持機構は、ディスクホルダ１０４、ホルダ板バネ１０５、入口レバー１０７より構成される。
【００４６】
ディスクホルダ１０４は、ホルダ内側に向かって斜面を持つスリット１０４ａで裸ディスクの高さ方向の位置を規制し、スリット１０４ａの両端の保持部１０４ｂで、裸ディスクの半径方向の位置を規制する部材である。
【００４７】
ディスクホルダ１０４は、先端で入口レバー１０７と回動自在に係合し、上下の２ヵ所に設けた突起１０４ｄが、各々ガイド溝１００ｈに挿入される。
【００４８】
入口レバー１０７は、軸１００ｉ回りに回動自在に取り付けられ、突起１０７ｂが円弧溝１００ｇに挿入され、ホルダ板バネ１０５によりディスクホルダ１０４とともにホルダの内側方向に付勢される。通常は、突起１０４ｄ、１０７ｂがそれぞれ、ガイド溝１００ｈ、円弧溝１００ｇのホルダ内側の終端に当接した位置で止まっている。この時、左右一対のディスクホルダ１０４はＸ方向に平行に保持され、その間隔が、挿入される裸ディスクの直径よりも小さく配置される。
【００４９】
挿入された裸ディスクは、シャッターオープナ１０３の先端に当接しシャッターオープナ１０３を奥へ回動させながら、入口レバー１０７およびディスクホルダ１０４の先端を一旦押し広げてからスリット１０４ａの間に入り込み、ディスクホルダ１０４は元の位置に戻る。
【００５０】
このとき、シャッターオープナ１０３は、前述のスイッチＡがまだＯＦＦの位置で裸ディスクに当接している。この位置から、ディスクホルダ１０４の後端を広げる形で裸ディスクをわずかに押し込むと、シャッターオープナ１０３の突起１０３ｅがスイッチＡをＯＮ状態にする。裸ディスクを離せば、ディスクホルダ１０４は、元の位置に戻る。
【００５１】
裸ディスクの直径に対して、４つの保持部１０４ｂを広く配置してディスク外周との間に一定の空隙をもたせ、スリット１０４ａの幅もディスクの厚さに対して、一定の空隙をもたせれば、ディスクホルダ１０４が元の位置のままでディスクの回転動作が可能である。
【００５２】
カートリッジ３００が挿入されると、カートリッジ３００の角部が入口レバー１０７をホルダ奥側へ押し倒す。この当接面にはくぼみを設けて、滑らかに押し倒す形状となっている。入口レバー１０７が回動すると、ディスクホルダ１０４も移動し、ディスクホルダ１０４の先端が大きく開く。さらにカートリッジ３００を挿入されるとカートリッジ３００によってディスクホルダ１０４も押し倒され、ディスクホルダ１０４と入口レバー１０７が一直線状にホルダの左右両端に収納され、カートリッジ３００の進路が確保される。
【００５３】
以上の構成により、ディスクホルダ１０４は裸ディスクを保持可能な位置に待機しており、カートリッジ３００が挿入されると、その角部で入口レバー１０７を押して、ディスクホルダ１０４をホルダの左右両端に収納する。
【００５４】
ホルダケース１０１には、カートリッジ付勢バネ１２０が組み込んであり、挿入されたカートリッジ３００の先端角部をホルダカバー１０２の方向（Ｚ１方向）に、押し付ける。
【００５５】
（クランプ部の構成）
続いて、クランプ部の構成を説明する。
【００５６】
図６（ａ）は、クランパ２６の構成を示す。磁性材料から成るクランプレバー２７の中心穴内のクランパ２６ｂに、磁性体２６ｄとともに磁石２６ｃが格納され、クランプカバー２６ａで固定されている。この状態では、クランパ２６がクランパレバー２７との間で磁気的に安定な状態として、磁石２６ｄを挟んで磁性体２６ｄとクランプレバー２７が離れる方向に磁気浮上する。
【００５７】
図６（ｂ）はディスクモータ２がクランパ２６の近傍にある場合を示し、クランパ２６がディスクモータ２の磁性体に吸引されクランプレバー２７との磁気浮上が解除されるとともに、ディスクがある場合はクランパ２６でディスクモータ２のターンテーブル上に磁気吸着する。
【００５８】
図６（ｃ）はクランパ近接部に磁性体を持つディスクモータ２がクランパ２６近傍にない場合を示し、天板２５の曲げ部２５ａとクランパ２６が当節し、かつ、クランパ２６がクランプレバー２７との間で磁気的に安定な状態としてディスクモータ２から離れる方向に磁気浮上する。
【００５９】
（ベース部の構成）
図７は本発明のディスクローディング装置のベース部を示す図で、（ａ）はベース部のみ示した平面透視図、（ｂ）は側面断面図である。
【００６０】
図７（ａ）において１はディスクローディング装置の筐体で、記録再生のための回路部品を実装したプリント基板２０、パネル２１、およびホルダ１００の収納時に筐体１の前面の開口２１ａを塞ぐシャッタ２２が設けられている。
【００６１】
パネル２１には、ホルダ１００の搬出および収納用のボタン（図示せず）と未通電時のカートリッジ３００または裸ディスク（大型ディスク３０１）を取り出すための強制イジェクト用の穴（図示せず）が設けられている。
【００６２】
８はベースで、筐体１に外部からの振動や衝撃を緩和するためのダンパ９を介して弾性支持されている。シャーシ３にはトーションリーフ１１が固定され、トーションリーフ１１はベース８にシャーシ３の先端部３ａが常時Ｚ２方向に付勢されるよう取り付けられている。
【００６３】
昇降カム１０は、ベース８の軸８ａで回動可能に軸支され、ホルダ１００内に設けられた減速装置１１２およびローディングモータ１１１から成る駆動手段によって昇降カム１０が矢印Ｒ１方向に回動されたときに、斜面１０ａによってシャーシ３のスリット３ｂと係合してシャーシ３の先端部３ａをトーションリーフ１１のばね付勢力に抗してＺ１方向に押し上げシャーシ３を略水平にする。このときシャーシ３は斜面１０ａの端部の水平面で支持される。昇降カム１０が矢印Ｒ２方向に回動されたときは、昇降カム１０の斜面１０ａに沿って、トーションリーフ１１のばね付勢力によってシャーシ３が水平位置からＺ２方向へ傾く。昇降カム１０とベース８の間にはヘッドユニット付勢バネ４０（図示せず）が設けられ、シャーシ３を介して天板２５に対してホルダ１００がバネ付勢される。
【００６４】
スライドラック１３は上面に駆動歯車１１２ａと噛み合うラック形状１３ａを持ち、ベース８の突起８ｂと係合してＸ方向に摺動自在に保持され、溝部１３ｃで昇降レバー１０のピン１０ｂと係合する。クラッチ１２の爪１２ｃとベース８の突起８ｃが係合してスライドラック１３が固定された時はホルダ１００が移動可能であり、クラッチ１２の爪１２ｃとベース８の突起８ｃの係合が外れた時にはスライドラック１３が摺動し昇降カム１０が回動可能となる。
【００６５】
昇降カム１０のリブ１０ａは、ホルダ１００が収納完了してシャーシ３が略水平になったローディング動作完了時に駆動検出スイッチ２３ｂと当接して、中央処理装置（ＭＰＵ）３４が駆動手段の停止を命じる。
【００６６】
ストッパ３６は、ベース８の軸８ｄで回動可能に軸支され、一端の軸３６ａは昇降カム１０のガイド溝１０ｅと係合してリンク機構を構成する。他端のリブ３６ｂはシャッタ２２の突部２２ａと対向する位置にあり、ホルダ１００を装置内へ格納するローディング動作中は、シャッタ２２が閉じた状態では突部２２ａがリブ３６ｂと離れるため昇降カム１０およびストッパ３６の回動を妨げず、シャッタ２２が開いた状態では、突部２２ａとストッパ３６のリブ３６ｂは当節して昇降カム１０およびストッパ３６の回動を妨げるように構成されている。
【００６７】
強制イジェクトレバー１４は強制イジェクトばね１５でＸ１方向に付勢され、ベース８とスライドラック１３との間でＸ方向に摺動自在に保持され、先端にホルダ１００の下部の係合部１００ｃと係合する爪１４ａを持つ。停電等の未通電時に装置内のホルダ１００に格納されたメディアを取り出す際には、パネル２１の強制イジェクト用の穴（図示せす）よりピンをＸ２方向に強制イジェクトばね１５を圧縮しながら差し入れ、爪１４ａがホルダ１００の下部の突起１００ｃと係合すると駆動系の負荷に抗してホルダ１００が装置内より排出される。その後ホルダ１００を搬出位置まで手で引っ張れば、ホルダ１００に格納されたカートリッジ３００あるいは裸ディスクを取り出すことができる。
【００６８】
ディスク規制部材２９はディスク基材のＰＣより低硬度のゴムで構成されたローラ２９ａとコイルばね２９ｂから成り、ホルダ１００の搬出完了位置から収納完了位置の間で、ホルダ１００に格納された裸ディスク３０１およびカートリッジ３００内のディスク３００ｅと接触して、ベース８に傾斜付勢されたシャーシ３とこれらのディスクが略平行になるよう姿勢を規制してシャーシ３上のターンテーブル２との接触を防止する。ホルダ１００のディスクローディング装置内への収納が完了すると、ホルダ１００の下面１００ｄとローラ２９ａが当接してディスク規制部材２９はベース８内へ格納され、これらディスクのディスク規制部材２９による規制は解除される。
【００６９】
ベース８には他に、スライドラック１３の動きを切り替えるクラッチ１２、ホルダ１００の搬出完了を検出するスイッチ２３ａとホルダ１００格納完了を検出するスイッチ２３ｂを備えた駆動検出回路基板２３が設けてある。
【００７０】
駆動機構の動作に関しては後に詳述する。
【００７１】
シャーシ３には、ターンテーブル２ａを持つ一体型ディスクモータ２と、ガイドシャフト６、送りモータ５、スイッチ回路基板サポート１７を介して弾性支持されるカートリッジ検出回路基板１８、およびカートリッジの位置決め用のピン１６が設けられている。ターンテーブル２ａのクランパ２６と対向する面には、磁性体（図示せず）が設けられており、クランパ２６内の磁石２６ｃとの間で吸着力を発生する。
【００７２】
ガイドシャフト６上には、ヘッド移送レバー４がシャーシ３との間で方向に移動可能で、かつ一端が光学ヘッド７に他端が強制イジェクトレバー１４と当接可能に設けられている。
【００７３】
光学ヘッド７は、ガイドシャフト６上に取り付けられ送りモータ５により方向に往復運動し、記録再生用のレーザ発光部およびディスク（３００ｅ、または３０１）の反射光を受光する受光部を有する。
【００７４】
２６は天板２５に取り付けられたクランパであり、クランプ２６の内部にはターンテーブル２ａに吸着してディスクを保持するための磁石２６ｃが設けられている。クランプ２６は、天板２５からホルダ１００側に突出したクランプレバー２７を介して、クランプ押圧ばね２８によりターンテーブル２ａから離れる方向に付勢されている。天板２５はベース８に係止爪等の取り付手段により取り付けられ、ホルダ１００が搬出完了位置から収納完了位置に移動したときにクランプレバー２７がホルダ１００の操作片１０１ａに押されて、クランプ２６がクランプ押圧ばね２８に抗して回動し各ディスクをターンテーブル２ａのセンターコーン上に押圧する。一方ホルダ１００が搬出位置側に移動を始めると、操作片１０１ａがクランプレバー２７から離れるのでクランパ２６がターンテーブル２ａから離れる。なお、ディスク側に磁性体の金属ハブを持ち、ターンテーブル２ａ側に磁石を持ち、この磁石により金属ハブを吸着することによってディスクを保持する方式の場合クランパ２６は不要となるので、それぞれの方式に応じて必要な機構をそれぞれ付属させればよい。
【００７５】
図８は本実施の形態のディスクローディング装置のブロック構成図を示し、メインシャーシ３および回路基板２０に設けられている。すなわち、レーザ駆動回路３０が動作して光学ヘッド７よりレーザをディスク（３００ｅまたは３０１）に照射し、光ヘッド７の受光部よりディスクの信号を受光し、再生信号処理回路３１により処理する。３２はその変調復調回路、３３はメモリのＲＡＭ、３４は中央処理装置（ＭＰＵ）、３５はパーソナルコンピュータ（ＰＣ）である。
【００７６】
図９は、ホルダ１００およびベース８の各スイッチの結線を示す構成図である。ホルダ１００のスイッチ１１４と１１５は、ベース８のスイッチ２３ａ、２３ｂとともに、中央処理装置３４によって監視されている。
【００７７】
【表１】
0003769931.tif 000002
【００７８】
（表１）は、ホルダ１００がイジェクト状態の際に、２つのスイッチ１１４、１１５を用いてメディアを装置内へ移動することなく、ホルダ１００に格納されたメディアの種類や状態を判断する方法を示したものである。これにより、ホルダ１００に各種メディアを格納した直後に、光ヘッドのレンズ切り替えを行ったり、立ち上げ手順をかえることができるので、ローディング時間の短縮が可能になる。また異常時の検出も可能になるので、ローディングモータ１１１の駆動を禁止することにより、装置の破壊を防ぐことができる。
【００７９】
（実施例の動作）
以上の様に構成されたディスクローディング装置の動作について説明する。
【００８０】
図１０は、メディア挿入時の様子を示す外観斜視図である。前述した、ホルダ１００の構成により、本ローディング機構は、垂直、水平のいずれの姿勢でも使用できる。（ａ）、（ｂ）は、カートリッジの挿入、（ｃ）、（ｄ）は、大型ディスクの挿入を示す。
【００８１】
装置前面に設けたボタンを押すと、ホルダ１００が、図に示す位置まで引き出されて、メディア挿入の待機状態となる。この状態から、再びボタンを押すか、ホルダ１００を押し込むと、ホルダ１００は、装置内に引き込まれる。尚、本発明では、裸ディスク３０１の誤挿入を規制する挿入規制手段３８を設けたので図１０（ｄ）に示すように誤ってホルダ１００の上から裸ディスクを挿入したとしても、装置内部へ裸ディスク３０１が挿入されることはない。
【００８２】
ａ）ホルダにメディアが未装着の時のローディング動作
図１１〜図１６は、ホルダ１００内にメディアが装着されていないときのローディング動作の平面図を示すもので、時系列的な動作状態を示す。
【００８３】
図１７〜図２２は、ホルダ１００内にメディアが装着されていないときのディスクローディング装置上部の平面詳細図を示したもので、図１１〜図１６の記号にそれぞれ対応している。
【００８４】
図２３〜図２８は、ホルダ１００内にメディアが装着されていないときのディスクローディング装置下部の平面詳細図を示したもので、図１１〜図１６の記号にそれぞれ対応している。
【００８５】
図２９は、ホルダ１００内にメディアが装着されていないときのローディング動作の側面断面図を示すものである。図の（ａ）〜（ｄ）は、時系列的な動作状態を示す。
【００８６】
図１１は、ホルダ１００が搬出完了した状態を示す。ホルダ１００の下面のリブ１００ａが、駆動検出スイッチ回路基板２３上のスイッチ２３ａと当接して、ホルダ１００の搬出位置で正確に停止している。この状態で、裸ディスク、およびカートリッジの何れかが選択的に装着される。図１１の状態では、図１７で示されるように、クラッチ１２の爪１２ｃがベース８のリブ８ｃと係合して、ボス１２ａがスライドラック１３の摺動を規制しベース８に固定されている。また、図２３で示されるように、シャッタオープナ１０３の突起１０３ｄはベース８の側面の穴８ｅと一致して回動自在に設けられている。ホルダ１００内にカートリッジ４０が装着された際には、ホルダ１００へのカートリッジ４０の挿入に応じてシャッタオープナ１０３が回動してシャッタ４１を開くことができる。
【００８７】
この状態では、図２９（ａ）で示すようにシャーシ３はベース８に対して傾斜付勢しており、クランパ２６はクランプ押圧ばね２８の付勢力によりクランプレバー２７を介して天板２５に押し当てられている。また、カートリッジ検出回路基板１８はスイッチ回路基板サポート１７の付勢力によりベース８の底面側へ押し当てられている。ディスク規制部材２９はコイルばね２９ｂの復帰力により、ベース８からホルダ１００の中央の開口へ持ち上がる。
【００８８】
また、昇降カム１０のガイド溝１０ｅと係合してリンク機構を成すストッパ３６のリブ３６ｂとシャッタ２２の突部２２ａは離れた位置にあり、シャッタ２２の開状態から閉状態への動作は妨げられないように構成されている。
【００８９】
図１２は、ホルダ１００の収納開始状態を示す。図１８で示すように、パネル２１のボタン（図示せず）が押され、ホルダ１００内のローディングモータ１１１が回転し、ギア群１１２を経て駆動力が駆動歯車１１２ａに伝達されると、ベース８に固定されたスライドラック１３のラック部１３ａと係合して、ホルダ１００がＸ２方向に移動を開始する。この時、図２４に示すように、シャッタオープナ１０３の突起１０３ｄはベース８の側面の穴８ｅから離れ、ホルダ１００に大型ディスク３０１が装着されたとき、またはメディア未装着の場合には、シャッタオープナ１０３は大型ディスク３０１と干渉しない位置までＲ２方向に回動する。この状態では図２９（ｂ）で示すように、徐々にホルダ１００が装置内へ収納されていく。
【００９０】
図１３は、ホルダ１００がさらにディスクローディング装置内へ収納された状態を示す。
【００９１】
図１４は、ホルダ１００のディスクローディング装置内への収納が完了した状態を示す。図２０で示すように、ホルダ１００下面のリブ１００ｂがクラッチ１２の爪部１２ｄと当接しベース８のリブ８ｃとの係合を外す。これによりスライドラック１３のクラッチ１２による拘束は解除され、以後Ｘ１方向への摺動が可能となる。このとき、シャッタ２２は閉状態となるが、ストッパ３６のリブ３６ｂとシャッタ２２の突部２２ａは依然離れた位置にある。
【００９２】
同時に、図２０で示すようにホルダ１００の異形穴１０１ｂとクラッチ１２のボス１２ｂとが係合する。この状態では、図２９（ｃ）で示すようにホルダ１００のリブ１０１ａとクランプレバー２７の端２７ａが当接して、クランプレバー２７はクランプ押圧ばね２８を軸に回動してクランパ２６はターンテーブル２ａと対向する位置まで下降する。またディスク規制部材２９のローラ２９ａはホルダ１００の下面１００ｄと当接して、ディスク規制部材２９はベース８内へ格納される。
【００９３】
図１５は、ホルダ１００のディスクローディング装置内へ収納完了後のスライドラック１３の動作を示す。図２１で示すように、駆動歯車１１２ａの駆動力によりスライドラック１３がＸ１方向に摺動し、スライドラック１３と係合していたクラッチ１２のボス１２ｂがＲ１方向に回動して、ホルダ１００の異形穴１０１ｂ内でホルダ１００の方向の動作を規制するため、ホルダ１００はベース８の所定位置に保持される。スライドラック１３のＸ１方向の移動に伴い、ボス１０ｂとスライドラック１３の溝１３ｃで係合している昇降カム１０がベース８の軸８ａを中心にＲ１方向に回動すると、シャーシ３は傾斜リブ１０ａとシャーシ３の溝３ｂで当接しトーションリーフ１１の付勢力に抗しながら徐々に昇降カム１０の回動に合わせて傾斜状態から略水平状態へ持ち上がる。
【００９４】
同時に、昇降カム１０の回動にあわせてストッパ３６も回動して、リブ３６ｂはシャッタ２２の突部２２ａと離れた位置から対向する位置に近接する。このとき、シャッタ２２が故意に開いた状態にあれば、ストッパ３６のリブ３６ｂとシャッタ２２の突部２２ａは当節し、ストッパ２２とリンク機構をなす昇降カム１０の動作は妨げられるため、ローディングは完了しない。中央処理装置３４によりローディングモータ１１１を停止または反転すれば、回転中の裸ディスク３０１に触れる危険を回避できる。
【００９５】
図１６は、スライドラック１３の移動完了状態を示す。図２２で示すように、駆動歯車１１２ａの駆動力によるスライドラック１３のＸ１方向への移動が完了して、昇降カム１０のＲ１方向の回動により傾斜リブ１０ａの水平面上にシャーシ３が乗り、シャーシ３は略水平状態となる。昇降カム１０のリブ１０ａは、シャーシ３が略水平になるローディング動作の完了時に駆動検出スイッチ２３ｂと当接して、中央処理装置（ＭＰＵ）３４がローディングモータ１１１を停止させる。この状態では、図２９（ｄ）で示すようにシャーシ３の回動が完了するとシャーシ３は略水平になり、シャーシ３上のターンテーブル２ａはクランパ２６と対向する位置まで上昇するとともに、カートリッジ検出回路基板１８はスイッチ回路基板サポート１７の復帰力によりベース８から上昇してホルダ１００内の所定位置まで上昇し、ローディング動作は完了する。
【００９６】
同時に、昇降カム１０の回動にあわせてストッパ３６も回動して、リブ３６ｂはシャッタ２２の突部２２ａと所定寸法離れて対向する位置で停止する。シャッタ２２が固定側でストッパ３６がダンパ９を介した可動側にある場合、これら２つの当節距離として衝撃変動分を加味する必要がある。この状態では、リブ３６ｂと突部２２ａが近接しているので、当節距離をシャッタ２２を故意に開こうとしても大きくは開口できず、開口隙間を指の入らない程度に設ければ、回転中の裸ディスク３０１に触れる危険を回避できる。
【００９７】
ホルダ１００の排出動作は、これら動作と全く逆の順序で行われる。ローディングモータ１１１が前記と逆方向に回転するとスライドラックがＸ２方向へ移動して、昇降カム１０をＲ２方向に回動させ、シャーシ３はＺ２方向に回動する。スライドラック１３のＸ２方向への移動が完了すると駆動歯車１１２ａ駆動力によりホルダ１００はＸ１方向へ移動を開始し、ホルダ１００の異形穴１０１ｂでホルダ１００を拘束していたクラッチ１２のボス１２ｂはＲ２方向へ回動を始める。クラッチ１２のＲ２方向への回動によりクラッチ１２の爪部１２ｃはベース８のボス８ｂと係合して、スライドラック１３はクラッチ１２のボス１２ａによりベース８に固定される。以後ホルダ１００は、ホルダ１００の下面側のリブ１００ａが駆動検出回路基板２３のスイッチ２３ａと当接するまでディスクローディング装置から搬出され、図１１で示されるホルダ搬出完了位置で停止する。
【００９８】
ｂ）ホルダに前後逆あるいは裏表逆にカートリッジが装着されたときのローディング動作
図３０は、通常使用の向きでホルダ１００にカートリッジ３００が装着されたとき、図３１はホルダ１００に裏表逆にカートリッジ３００が装着されたとき、図３２は前後逆にカートリッジ３００が装着されたときのホルダ１００の状態を示す。
【００９９】
図３０が示すように逆挿入防止リブ１０２ａは、通常使用の向きで挿入されたカートリッジ３００の開口部３００ｄおよび３００ｅ格納されたディスクに接触しないように配置されている。
【０１００】
図３１に示すように表裏逆にカートリッジ３００がホルダ１００に挿入された時、カートリッジ３００の裏表でシャッタ係合部３００ｂとシャターオープナ１０３のリブ１０３ｂが当節する両面開きであれば、カートリッジ３００は問題なくホルダ１００に格納される。
【０１０１】
片面開きあるいは上記以外の両面開きのカートリッジ３００がホルダ１００に挿入されると、シャターオープナ１０３はシャッタ３００ａを開くことなく回動する。シャターオープナ１０３の回動途中で逆挿入防止リブ１０２ａがシャッタ３００ａと当節する事により、カートリッジ３００の挿入が阻害されホルダ１００への完全装着は行われない。この状態ではカートリッジ３００がホルダ１００内へ半差し状態となるため、ディスクホルダ１０４の後端部は内側の突起１０４ｆがカートリッジ３００の側面により押し広げられて、外側の突起部１０４ｅがホルダ１００の側面へ突出しベース８の側面穴８ｈと係合するため、ホルダ１００の装置内部への移動が拘束される。
【０１０２】
カートリッジ３００をホルダ１００から引き抜けば、この動作の逆の手順でホルダ１００の拘束は解除される。
【０１０３】
また、図３２に示すように、前後逆にカートリッジ３００がホルダ１００に挿入された場合、ホルダ１００の挿入によりシャターオープナ１０３はシャッタ３００ａを開くことができず回動し、逆挿入防止リブ１０２ａとシャッタ３００ａが当節する事によりカートリッジ３００の挿入が阻害されホルダ１００への完全装着は行われない。カートリッジ３００がホルダ１００内へ半差し状態となるため、ディスクホルダ１０４の後端部は内側の突起１０４ｆがカートリッジ３００の側面により押し広げられて、外側の突起部１０４ｅがホルダ１００の側面へ突出しベース８の側面穴８ｈと係合するため、ホルダ１００の装置内部への移動が拘束される。
【０１０４】
カートリッジ３００をホルダ１００から引き抜けば、この動作の逆の手順でホルダ１００の拘束は解除される。
【０１０５】
【発明の効果】
以上、詳述したように、本発明のディスクローディング装置では、記録再生ディスクを回転自在に収納したカートリッジを保持するホルダと、カートリッジのシャッタ開閉手段と、前記ホルダ内部にカートリッジに収納されていないディスク（以下裸ディスクという）を保持する保持手段と、このホルダを覆い、カートリッジまたは裸ディスクのローディング方向に対称に２分割された一対のホルダカバーと、ホルダ及びホルダカバーを移動可能に収納し、カートリッジまたは裸ディスクを挿入する開口部を一方に形成するベースと天板とを備え、この一対のホルダカバーそれぞれには凸部を有し、当該一対の凸部にそれぞれ係合し、ローディング方向に直交する方向に突起部を具備する挿入規制手段を天板の開口部側に備え構成されることにより、裸ディスクを誤ってホルダと天板の隙間に挿入した場合、挿入規制手段により裸ディスクのローディング装置内への挿入が規制されるので、誤挿入によるディスクへの傷つきを防止することができる。又、カートリッジ及び裸ディスクを誤ってホルダの上に挿入しようとしても挿入規制手段によりホルダカバーの変形が規制されるので誤挿入を防止することが出来るばかりでなく、ホルダカバーの破損をも防止することが出来る。
【図面の簡単な説明】
【図１】  本発明の実施の形態１のディスクローディング装置の構成を示す分解斜視図
【図２】  本発明の実施の形態１のディスクローディング装置の内部構成を示す平面図
【図３】  カートリッジと裸ディスクの斜視図
【図４】  ホルダ１００の内部構成を示す分解斜視図
【図５】  ホルダ１００の組み立てた状態の透視斜視図
【図６】  （ａ）クランパの構成図
（ｂ）ディスクモータから離れた場合の側面図
（ｃ）ディスクモータに吸着した場合の側面図
【図７】  （ａ）ベース部の構成を示す平面透視図
（ｂ）側面断面図
【図８】  ディスクローディング機構のブロック図
【図９】  スイッチの結線図
【図１０】  メディア挿入時の様子を示す外観斜視図
【図１１】  ローディング動作の平面透視図（その１）
【図１２】  ローディング動作の平面透視図（その２）
【図１３】  ローディング動作の平面透視図（その３）
【図１４】  ローディング動作の平面透視図（その４）
【図１５】  ローディング動作の平面透視図（その５）
【図１６】  ローディング動作の平面透視図（その６）
【図１７】  ローディング動作の上部平面透視詳細図（その１）
【図１８】  ローディング動作の上部平面透視詳細図（その２）
【図１９】  ローディング動作の上部平面透視詳細図（その３）
【図２０】  ローディング動作の上部平面透視詳細図（その４）
【図２１】  ローディング動作の上部平面透視詳細図（その５）
【図２２】  ローディング動作の上部平面透視詳細図（その６）
【図２３】  ローディング動作の下部平面透視詳細図（その１）
【図２４】  ローディング動作の下部平面透視詳細図（その２）
【図２５】  ローディング動作の下部平面透視詳細図（その３）
【図２６】  ローディング動作の下部平面透視詳細図（その４）
【図２７】  ローディング動作の下部平面透視詳細図（その５）
【図２８】  ローディング動作の下部平面透視詳細図（その６）
【図２９】  ローディング動作時の側面断面図（メディア未装着の場合）
【図３０】  ホルダにカートリッジを挿入した際の平面図（通常使用の向きで挿入時）
【図３１】  ホルダにカートリッジを挿入した際の平面図（裏表逆の向きで挿入時）
【図３２】  ホルダにカートリッジを挿入した際の平面図（前後逆の向きで挿入時）
【図３３】  従来のカートリッジと裸ディスクの斜視図
【図３４】  従来のディスクローディング機構の斜視図
【図３５】  従来のディスクローディング装置の内部構成を示す平面図
【符号の説明】
１  ドライブ匡体
２  ターンテーブル一体化ディスクモータ
３  シャーシ
４  ヘッド移送レバー
５  送りモータ
６  ガイドシャフト
７  光学ヘッド
８  ベース
９  ダンパ
１０  昇降カム
１１  トーションリーフ
１２  クラッチ
１３  駆動側スライドレバー
１４  強制イジェクトレバー
１５  強制イジェクトばね
１６  位置決めピン
１７  スイッチ回路基板サポート
１８  カートリッジ検出回路基板
１９  従動側スライドスイッチ
２０  回路基板
２１  パネル
２２  シャッタ
２３  駆動検出回路基板
２４  イジェクトピン
２５  天板
２６  クランプ
２７  クランプレバー
２８  クランプ押圧ばね
２９  ディスク規制部材
３０  レーザ駆動回路
３１  再生信号処理回路
３２  変調復調回路
３３  ＲＡＭ
３４  中央処理装置（ＭＰＵ）
３５  パーソナルコンピュータ（ＰＣ）
３６   ストッパ
３８  挿入規制手段
１００  ホルダ
１０１  ホルダケース
１０２  ホルダカバー
１０３  シャッタオープナ
１０４  ディスクホルダ
１０５  ホルダ板バネ
１０７  入り口レバー
１０８  連結板
１０９  ホルダロック
１１１  ローディングモータ
１１２  駆動歯車列
１１３  フレキ
１１４  スイッチ
１１５  スイッチ
３００  カートリッジ
３０１  大型ディスク
【図１】
0003769931.tif 000003
【図２】
0003769931.tif 000004
【図３】
0003769931.tif 000005
【図４】
0003769931.tif 000006
【図５】
0003769931.tif 000007
【図６】
0003769931.tif 000008
【図７】
0003769931.tif 000009
【図８】
0003769931.tif 000010
【図９】
0003769931.tif 000011
【図１０】
0003769931.tif 000012
【図１１】
0003769931.tif 000013
【図１２】
0003769931.tif 000014
【図１３】
0003769931.tif 000015
【図１４】
0003769931.tif 000016
【図１５】
0003769931.tif 000017
【図１６】
0003769931.tif 000018
【図１７】
0003769931.tif 000019
【図１８】
0003769931.tif 000020
【図１９】
0003769931.tif 000021
【図２０】
0003769931.tif 000022
【図２１】
0003769931.tif 000023
【図２２】
0003769931.tif 000024
【図２３】
0003769931.tif 000025
【図２４】
0003769931.tif 000026
【図２５】
0003769931.tif 000027
【図２６】
0003769931.tif 000028
【図２７】
0003769931.tif 000029
【図２８】
0003769931.tif 000030
【図２９】
0003769931.tif 000031
【図３０】
0003769931.tif 000032
【図３１】
0003769931.tif 000033
【図３２】
0003769931.tif 000034
【図３３】
0003769931.tif 000035
【図３４】
0003769931.tif 000036
【図３５】
0003769931.tif 000037